(57)【特許請求の範囲】
【請求項１】
運搬用支持台の脚部を嵌合する透孔が穿設された台座と前記台座に組み立てられて使用され前記台座間の間隔寸法を固定するスケールとからなり、前記台座と前記スケールは相互に嵌合して組み立てられていることを特徴とする運搬用支持台の位置決め用固定冶具。
【請求項２】
前記スケールは目盛部を備え、前記スケールの目盛部には、前記台座からの長さ寸法を示す目盛が付されていることを特徴とする請求項１に記載の運搬用支持台の位置決め用固定冶具。
【請求項３】
台座には運搬用支持台の脚部を嵌合する透孔の近傍に突起が突設され、スケールの基端部には前記突起を挿入する固定用透孔が設けられていることを特徴とする請求項１又は２に記載の運搬用支持台の位置決め用固定冶具。
【請求項４】
台座には運搬用支持台の脚部を嵌合する透孔の近傍に開口部が窄まった切欠が設けられ、スケールの基端部を前記切欠に嵌合して組み立てるように構成されたことを特徴とする請求項１又は２に記載の運搬用支持台の位置決め用固定冶具。
【請求項５】
台座には運搬用支持台の脚部を嵌合する透孔の近傍にアリ溝が設けられ、スケールの下面に前記アリ溝に嵌合するアリが設けられていることを特徴とする請求項１又は２に記載の運搬用支持台の位置決め用固定冶具。
【請求項６】
前記スケールは２本のスケールで構成され、前記スケールの目盛部には連結用透孔が設けられていることを特徴とする請求項２〜５のうちいずれか１項に記載の運搬用支持台の位置決め用固定冶具。
【請求項７】
前記スケールの目盛部に設けられた連結用透孔の間に突起が突設されたことを特徴とする請求項６に記載の運搬用支持台の位置決め用固定冶具。
【請求項８】
台座には運搬用支持台の脚部を嵌合する透孔が２つ以上設けられたことを特徴とする請求項１〜７のうちいずれか１項に記載の運搬用支持台の位置決め用固定冶具。
【発明の詳細な説明】
【技術分野】
【０００１】
この発明は、荷物、品物等の運搬、保管時に使用される運搬用支持台に荷物等を積載する際に、載置する荷物の寸法に合わせて運搬用支持台の位置を固定することができる運搬用支持台の位置決め用固定冶具に関する。
【背景技術】
【０００２】
従来、荷物の運搬、保管には、一般的に運搬用パレットやスキッドパレットなどの運搬用支持台が使用されている。これらの運搬用支持台は、大きさが一定であるために、大きさの異なる荷物を積載するには大小複数のパレットを備えておく必要がある。そのために、保管するための広いスペースを必要とし、コストアップにもなっていた。
【０００３】
また、１種類の大きさで異なる複数の種類の荷物を載置できる運搬用支持台として、特表２００５−５３８９０９号公報に記載されている載置用レッジがある。この載置用レッジは、実質的Ｌ字形状の断面を形成する上部脚及び下部脚を備え、前記下部脚は１つ以上の突部を一体的に形成してなる。
【０００４】
このような載置用レッジは、上部脚を外側にして２つを対向させ、単位荷物の底部端部を載置して使用するように形成されている。そして、載置用レッジ及び載置した荷物をバンド等で結束することにより一体化される。このようにして一体化された単位荷物は、フォークリフト又はパレットトラック等の使用が可能になる。
【先行技術文献】
【特許文献】
【０００５】
【特許文献１】特表２００５−５３８９０９号公報
【発明の概要】
【発明が解決しようとする課題】
【０００６】
上記特表２００５−５３８９０９号公報記載の載置用レッジは、２つの載置用レッジを平行に並べて荷物の底部端部を載置するものであるから、荷物の大きさによって２つの載置用レッジの間隔寸法を調整しなければならない。２つの載置用レッジの間隔を調整することによって、大小複数種類の荷物に対応することができる。
【０００７】
現在、載置用レッジを使用して荷物を載置する際には、予め２つの載置用レッジを平行に並べておいてその上に載置する荷物を降ろし、荷物を載置する直前に載置用レッジの間隔を微調整して荷物を載置している。このために、２つの載置用レッジの間隔の調整に手間がかかるばかりでなく、荷積み作業がスムーズに行われず作業効率が悪いという問題があった。
【０００８】
また、２つの載置用レッジを対向させて荷物を載置する際に、荷物の大きさによって２つの載置用レッジの間隔を調整しなければならないが、２つの載置用レッジの間隔寸法を正確に調整し、しかも平行に並べることが難しいという問題がある。
【０００９】
また、上記載置用レッジは、荷物を載置した際にぴったりと保持するように、下部脚の外側端部は僅かに上方に傾斜して形成されているから、荷物を載置するときにまず傾斜部が当接することになり、載置用レッジ自体が動くおそれがある。
【００１０】
また、載置用レッジ及び載置した荷物をバンド等で結束する際は、バンド等は対向させた載置用レッジの間、即ち、載置用レッジの上部脚の外側を巻回して結束することになる。このとき、載置用レッジは、位置が固定されていないから、位置がずれるおそれがあった。
【００１１】
この発明はかかる現況に鑑みてなされたもので、取扱いが簡単であり、所定の場所に確実に設置することができるから、設置作業に手間がかかることがなく、荷物を確実に載置することができる運搬用支持台の位置決め用固定冶具を提供することを目的とする。
【課題を解決するための手段】
【００１２】
この発明に係る運搬用支持台の位置決め用固定冶具は、運搬用支持台の脚部を嵌合する透孔を穿設した台座と前記台座に組み立てて使用するスケールとからなり、スケールの目盛部には、台座からの長さ寸法を示す目盛が付されていることを特徴とする。台座には運搬用支持台の脚部を嵌合する透孔の近傍に突起を突設し、スケール基端部には前記突起を挿入する固定用透孔を設けて組み立てるか、脚部を嵌合する透孔の近傍に開口部が窄まった切欠を設け、スケールの基端部を前記切欠に嵌合して組み立てることができる。
【００１３】
また、前記台座には運搬用支持台の脚部を嵌合する透孔の近傍にアリ溝を設け、スケールの下面に前記アリ溝嵌合するアリを設けることにより組み立てることができる。また、スケールの目盛部には連結用透孔を設けることができ、２つのスケールを付き合わせて使用したとき前記連結用透孔にピンを挿入して固定してもよい。スケールの目盛部に設けられた連結用透孔の間に突起を突設してもよく、突起を突設することにより２つのスケールを付き合わせて使用したとき、連結する際のピンを不要とすることができる。また、台座には運搬用支持台の脚部を嵌合する透孔を２つ以上設けてもよい。
【発明の効果】
【００１４】
この発明に係る運搬用支持台の位置決め用固定冶具は、上記のように構成したので次のような効果を奏することができる。即ち、載置する荷物の大きさによって２つの載置用レッジの間隔寸法を正確に固定して荷物の載置作業を効率的に行うことができる運搬用支持台の位置決め用固定冶具を提供する。また、荷物の底部端部が正確に載置できるように、２つの載置用レッジの間隔寸法を平行に並べることができるとともに、荷物を載置するときにも動くことがない
【図面の簡単な説明】
【００１５】
【図１】第１実施形態を示す斜視図である。
【図２】第２実施形態を示す斜視図である。
【図３】第３実施形態を示す斜視図である。
【図４】第４実施形態を示す斜視図である。
【図５】スケール部の他の実施形態の斜視図である。
【図６】図６の使用例を示す説明用断面図である。
【図７】図１におけるスケール部の使用例を示す説明用断面図である。
【図８】台座の他の実施形態を示す斜視図である。
【図９】使用例を示す斜視図である。
【発明を実施するための形態】
【００１６】
以下に、この発明を図示する実施形態に基づいて説明する。図１は、第１実施形態の斜視図であり、運搬用支持台の位置決め用固定冶具１は、運搬用支持台の脚部を嵌合する台座２と、対向する台座２間の間隔寸法を固定するスケール３によって形成されている。
【００１７】
前記台座２は、厚板２１に平面長方形状の透孔２ａを穿設してなり、前記透孔２ａの中心を通る線上には、上面にスケール３との間で目盛の基端を示す基線２ｂが示されており、前記基線２ｂ上に突起２ｃを突設してなる。前記透孔２ａには、運搬用支持台の脚部が挿入される。従って、厚板２１の厚さ寸法は、挿入する脚部の高さによって適宜決定すればよく、例えば、脚部の高さの二分の一とか、三分の一にすることができる。
【００１８】
また、透孔２ａの形状は、運搬用支持台の脚部の形状に合わせて形成することが好ましく、脚部は、通常、下端部に向かって窄まっていることから、下端方向に向かって内側に傾斜する傾斜面とすることが好ましい。
【００１９】
次に、前記スケール３は、スケール３１とスケール３２とからなる。スケール３１は、基端部３１ａに上記突起２ｃを挿入する固定用穴３１ｂが穿設されている。前記固定用穴３１ｂに台座２の突起２ｃを挿入することによって固定される。基端部３１ａの厚さの約２分の１の厚さである。目盛部３１ｃに所定の間隔で目盛３１ｄが付されていると共に、前記目盛３１ｄに合わせて連結用透孔３１ｅが穿設されている。
【００２０】
基端部３１ａと目盛部３１ｃとの間は段部によって形成されている。前記各目盛３１ｄには、基端部３１ａに設けた固定用穴３１ｂからの長さ寸法が表示されている。前記目盛３１ｄの間隔Ｌ１は適宜決定することができ、例えば、Ｌ１＝５０ｍｍとすることができる。
【００２１】
また、スケール３２は、スケール３１と同様に、基端部３２ａに上記突起２ｃを挿入する固定用穴３２ｂが穿設されており、基端部３２ａの厚さの約２分の１の厚さに形成されている。目盛部３２ｃに所定の間隔で目盛３２ｄが付されている。前記目盛３２ｄに合わせて連結用透孔３２ｅが穿設されている。基端部３１ａと目盛部３１ｃとの間は段部によって形成されている。前記各目盛３２ｄには、基端部３２ａに設けた固定用穴３２ｂからの長さ寸法が表示されている。前記目盛３２ｄの間隔Ｌ２は適宜決定することができ、例えば、Ｌ２＝２５ｍｍとすることができる。
【００２２】
前記スケール３１とスケール３２とは、目盛の間隔が異なる以外は対称に形成されており、目盛部３１ｃと目盛部３２ｃとを段部を向かい合わせて重ね合わせたとき、連結用透孔３１ｅと連結用透孔３２ｅとのいずれかが連通するように形成されている。従って、スケール３１の所定寸法に位置する連結用透孔３１ｅとスケール３２の所定寸法に位置する連結用透孔３２ｅとを重ね合わせて２つの運搬用支持台の間の距離を決定すればよい。荷物の大きさに合わせて固定用穴３１ｂと固定用穴３２ｂとの間の寸法を固定することができる。
【００２３】
上記実施形態では、スケール３１とスケール３２における連結用透孔の間隔を異ならしめたが、両者の連結用透孔の間隔を同一にしてもよく、この場合には、スケール３１又はスケール３２の一方のみで足りることになる。スケール３１とスケール３２における連結用透孔の間隔を異ならしめた場合には、長さ寸法の細かな調整が可能になる。尚、突起２ｃと連結用透孔３１ｅ，３２ｅはそれぞれ同じ大きさとすることができる。
【００２４】
次に、第２実施形態を図２に基づいて説明する。上記第１実施形態と同一の構成については、同一の符号を付してその説明は省略する。台座２Ａには、運搬用支持台の脚部を嵌合する透孔２ａが穿設されており、一方の側面に沿ってアリ溝２ｄが形成されている。前記アリ溝２ｄの縁には、前記透孔２ａの中心を通る線上にスケールの目盛の基端を示す基線２ｂが付されている。
【００２５】
一方、スケール３３の上面には長さ寸法を示す目盛３３ａが付されていると共に、下面には前記アリ溝２ｄに嵌合して摺動するアリ３３ｂが形成されている。台座２Ａとスケール３３とを組み立てるには、スケール３３の両端部のアリ３３ｂを２つの台座２Ａ、２Ａのそれぞれのアリ溝２ｄに挿入すればよい。そして、一方の台座２Ａの基線２ｂにスケール３３の基端線３３ｂを合わせ、他の台座２Ａを所定の目盛の位置までスライドさせて、２つの台座２Ａ，２Ａ間の寸法を確定すればよい。
【００２６】
上記台座２Ａとスケール３３との固定方法は特に限定されるものではなく公知の方法で行うことができ、例えば、台座２Ａとアリ溝２ｄに挿入したスケール３３との表面にテープを貼着してもよく、あるいは台座２Ａとスケール３３の先端部に切込を設け、台座２Ａのアリ溝２ｄにスケールを挿入した後に、前記切込間にピンを差し込んで固定してもよい。第２実施形態の運搬用支持台の位置決め用固定冶具によれば、１本のスケールで足り、操作も簡単である。
【００２７】
次いで、第３実施形態を図３に基づいて説明する。上記第１実施形態と同一の構成については、同一の符号を付してその説明は省略する。台座２Ｂには、運搬用支持台の脚部を嵌合する透孔２ａが穿設されており、一方の側面に開口する略Ｔ形切欠２ｅが形成されている。前記略Ｔ形切欠２ｅの突き当て面は、前記透孔２ａの中心を通る線上の基線２ｂと一致している。
【００２８】
一方、スケール３４の両端部の両面に、切込３４ａ，３４ａが設けられており、前記切込３４ａ，３４ａより先端側の端部３４ｂを前記略Ｔ形切欠２ｅに挿入可能な大きさに形成してなる。尚、略Ｔ形切欠２ｅと端部３４ｂの形状は、端部３４ｂが略Ｔ形切欠２ｅに嵌合できればよく、その大きさ及び形状は特に限定されるものではない。従って、略Ｔ字形切欠は、Ｃ字形切欠等に変更することが可能であり、側端の開口部が窄まった形状であればよく、その形状は特に限定されるものではない。
【００２９】
図３に示すスケール３４には、目盛部３４ｃの構成については図示されていないが、目盛部３４ｃは上記第１実施形態の目盛の構成でもよく、第２実施形態の目盛の構成でもよい。第１実施形態と第２実施形態とは、組立の構造が異なるのみであり、目盛部の構成は、長さ寸法が測定できる構成であれば特に限定されない。
【００３０】
図４は、第４の実施形態を示す。この実施形態では、台座にスケールの一部を嵌め込むというよりもむしろスケールの先端部に台座を嵌め込む構造とした。即ち、透孔２ａが穿設された台座２Ｃは方形状に形成されており、一方、スケール３５の先端にコ字状の保持部３５ａを形成してなる。前記保持部３５ａの形状は、コ字状に限定されるものではなく、台座２Ｃが嵌合できる形状であれば、Ｃ字状、Ｕ字状或いは多角形状であってもよい。
【００３１】
前記台座２Ｃの透孔２ａの中心を通る基線２ｂをスケール３５の目盛の基端とする。そして、保持部３５ａに台座２Ｃを嵌合させたとき、スケール３５の目盛部３５ｂには前記基線２ｂからの長さ寸法を表示すればよい。
【００３２】
スケール３５の目盛部３５ｂの構成については図示されていないが、目盛部は上記第１実施形態又は第２実施形態のいずれの目盛部の構成でもよい。上記第１実施形態又は第２実施形態とは、スケール３５の先端に台座２Ｃを嵌合させて保持する構造が異なるのみであり、スケールの目盛部は長さ寸法が測定できる構成であれば特に限定されない。
【００３３】
図５は、図１に示すスケール３１の使用例を示し、一方の台座２にスケール３１の段部を上向きにして固定し、他方の台座２にスケール３１の段部を下向きにして固定し、両スケールの段部面側を突合せる。両スケールの目盛寸法の合計を全体の長さ寸法とすればよい。長さが確定した位置で連結用透孔３１ｅに固定ピン４を挿入して固定すればよい。
【００３４】
尚、スケール３１の１つのみを使用すれば足りる場合には、組み合わせることが必要ないことは勿論である。また、スケール３１とスケール３２とのように目盛のピッチが異なる場合には、いずれかの一致する固定用透孔に固定ピン４を挿入して固定すればよい。
【００３５】
図６及び図７は、スケールの他の実施形態を示し、スケール３６はスケール３１と同じ構造であり、同一構成については同一符号を付してその説明は省略する。スケール３６の目盛部３６ｃの段部側に目盛３１ｄの間に突起３１ｆを突設してなる。突起３１ｆは、目盛部の固定用透孔３１ｅに挿入可能な大きさに形成されている。従って、使用するときは、図７に示すように、両突起３１ｆ側を付き合わせて突起３１ｆを突合せ側の固定用透孔３１ｅに挿入すればよい。
【００３６】
図８は、台座の他の実施形態を示す。台座２Ｄと台座２Ｅは、運搬用支持台の脚部を嵌合する透孔を複数設けた場合を示している。図８（ａ）に示す台座２Ｄは、大小の透孔２ａ，２ａ１を設け、中間部に突起２ｃを突設してなる。このように、大小の透孔を設けた場合には、いずれかの透孔を使用することにより、１つの台座で異なる大きさの脚部に対応することができる。尚、前記突起２ｃに代えて、アリ溝２ｄ、略Ｔ字形切欠２ｅを形成してもよい。
【００３７】
図８（ｂ）は、大小の透孔２ａ，２ａ１を直角方向に設け、大小の透孔２ａ，２ａ１のそれぞれの中心線が通る基線２ｂの位置に突起２ｃを突設してなる。この実施形態においてもいずれかの透孔を使用することにより、１つの台座で異なる大きさの脚部に対応することができる。また、透孔２ａ，２ａ１を同じ大きさとした場合には、運搬用支持台を方形状に配置する場合に有効である。
【００３８】
尚、前記突起２ｃに代えて、アリ溝２ｄ、略Ｔ字形切欠２ｅを形成してもよい。また、運搬用支持台の脚部を嵌合する透孔は、適宜配置を考慮することによって２つ以上複数設けることが可能である。
【００３９】
また、上記いずれの実施例においても、基線は透孔の中心を通る線上である必要はなく透孔の近傍であればよい。従って、基線の位置をずらした場合には、突起の位置も基線と共にずらした位置に突設すればよい。
【００４０】
次に、この発明にかかる運搬用支持台の位置決め用固定冶具の使用例について説明する。図９に示すように、台座２の突起２ｃを外側に向けて４箇所に配置し、対向する台座間にスケール３１を組み立てる。スケール３１を組み立てるには、台座２を載置する荷物の大きさに合わせたスケールの寸法位置に台座を設置固定すればよい。尚、スケール３１のみでは長さが足りない場合には、スケール３２を用いて、図５に示すようにピン４を用いて固定すればよい。
【００４１】
このようにして、荷物の大きさに合わせて予め決められた位置に台座を配置して、運搬用支持台Ｙの両端部の脚部Ｋを透孔２ａに挿入すれば荷物を載置する準備が完了する。運搬用支持台は所定の間隔に配置されていると共に、脚部Ｋは台座２によって固定されているから荷物を載置する際に運搬用支持台間の寸法を調整する必要がなく、荷物を載置してもずれることがない。
【符号の説明】
【００４２】
1：運搬用支持台の位置決め用固定冶具
２、２Ａ、２Ｂ、２Ｃ、２Ｄ，２Ｅ：台座
２１：厚板
２ａ：透孔
２ｂ：基線
２ｃ突起
２ｄ：アリ溝
２ｅ：略Ｔ形切欠
３：スケール
３１、３２、３３、３４、３５：スケール
３１ａ，３２ａ：基端部
３１ｂ：固定用穴  
３１ｃ、３２ｃ：目盛部
３１ｄ、３２ｄ：目盛  
３１ｅ、３２ｅ：連結用透孔
４：固定ピン
【図１】
0006023018.tif 000002
【図２】
0006023018.tif 000003
【図３】
0006023018.tif 000004
【図４】
0006023018.tif 000005
【図５】
0006023018.tif 000006
【図６】
0006023018.tif 000007
【図７】
0006023018.tif 000008
【図８】
0006023018.tif 000009
【図９】
0006023018.tif 000010